(57)【要約】【課題】振り子のロックを外した状態でも振り子が勝手に動き出さない電子式メトロノームを提供する。【解決手段】制御部７は、振り子駆動部３に対して制御信号ＰＯ１を出力し、制御信号ＰＯ１がハイレベルの時には振り子駆動部３の駆動回路３２に電源が供給されず、制御信号ＰＯ１がローレベルの時には振り子駆動部３の駆動回路３２に電源が供給され、駆動回路３２が振り子２を駆動する。【選択図】図１
2007232513.tif 000002
【特許請求の範囲】
【請求項１】
振り子と、
前記振り子を所定のテンポで往復運動させる振り子駆動部と、
前記振り子が通過したことを感知し、前記振り子の往復運動周期に同期した同期信号を出力するセンサと、
少なくとも１つの拍子音と、少なくとも１つのテンポ音とを記憶する複数の波形メモリと、
複数の前記波形メモリが記憶する拍子音及びテンポ音の中から、再生する音を決定し切り替える音色切り替え部と、
前記拍子音の波形信号と前記テンポ音の波形信号とをミックスして混合音の波形信号を出力するミキシング部と、
前記センサの出力した前記同期信号と同期させて前記ミキシング部が出力した波形信号を再生し出力する出力部と、
制御部と、
電源スイッチと、
を有し、
前記制御部は、前記振り子駆動部に制御信号を出力し、前記電源スイッチによる電源投入直後は前記振り子駆動部にとる前記振り子の駆動を停止状態に保持し、電源投入後前記センサが初めて前記振り子の通過を感知したことを条件に、前記振り子の往復運動を行わせるように前記振り子駆動部を制御する
電子式メトロノーム。
【請求項２】
前記振り子が往復運動を行っているとき、前記制御部は、前記センサが前記テンポ周期より長い間前記振り子の通過を感知しなかった場合に、前記振り子の駆動を停止状態に保持するように制御信号を出力する
請求項１に記載の電子式メトロノーム。
【発明の詳細な説明】
【技術分野】
【０００１】
本発明は、振り子の周期をセンサによって読み取り音を発生する電子式メトロノームに関する。
【背景技術】
【０００２】
メトロノームには、機械式のものと電子式のものがある。機械式のメトロノームは、振り子の振動に合わせて特定のテンポの音を発生する。機械式メトロノームでは、メトロノームを構成する各部品を精度よく製造し組み合わせる必要があり、格別の製造技術が必要であり、製造上や保守時の困難があった。
この機械式メトロノームの製造上の困難を解消するものとして、電子式メトロノームがある。電子式メトロノームはクォーツ等の振動子の振動から同期信号を取り出し、同期信号に合わせて波形メモリに記憶された波形の電子音を再生する。
【０００３】
しかし、一般に電子式メトロノームの再生する音は単調なパルス音であり、チャイム音の余韻が無く、不自然に聞こえる。また、特定のピッチ（音程）を持った音であり、楽器等の演奏時に妨げとなる。
【０００４】
上述した機械式メトロノーム及び電子式メトロノームの不利益を解消する手段として、例えば特許文献１には、振り子を駆動回路によって駆動させ、振り子の周期に合わせて特定のピッチを有さない音を再生する電子式メトロノームが開示されている。
【特許文献１】特開平０６−２１４０５７号公報
【発明の開示】
【発明が解決しようとする課題】
【０００５】
しかし、上述したような振り子の周期に合わせて音を再生する電子式メトロノームでは、例えば、振り子をロックしない状態で電源をオンにした時などに、振り子を駆動させる駆動回路に衝撃電流が流れ、振り子が勝手に動き出してしまうことがある、という不利益があった。
また、これに関連して、起動性のよい振り子の場合、例えば電子式メトロノームを移動させたり、電子式メトロノームが載っている台が揺れたり等、ちょっとした振動が原因で振り子が振れだしてしまう、という不利益があった。
【０００６】
本発明は、上述した不利益を解消して、振り子のロックを外した状態でも振り子が勝手に動き出さない電子式メトロノームを提供することを目的とする。
【課題を解決するための手段】
【０００７】
上述した目的を達成するために、本発明の電子式メトロノームは、振り子と、前記振り子を所定のテンポで往復運動させる振り子駆動部と、前記振り子が通過したことを感知し、前記振り子の往復運動周期に同期した同期信号を出力するセンサと、少なくとも１つの拍子音と、少なくとも１つのテンポ音とを記憶する複数の波形メモリと、複数の前記波形メモリが記憶する拍子音及びテンポ音の中から、再生する音を決定し切り替える音色切り替え部と、前記拍子音の波形信号と前記テンポ音の波形信号とをミックスして混合音の波形信号を出力するミキシング部と、前記センサの出力した前記同期信号と同期させて前記ミキシング部が出力した波形信号を再生し出力する出力部と、制御部と、電源スイッチと、を有し、前記制御部は、前記振り子駆動部に制御信号を出力し、前記電源スイッチによる電源投入直後は前記振り子駆動部にとる前記振り子の駆動を停止状態に保持し、電源投入後前記センサが初めて前記振り子の通過を感知したことを条件に、前記振り子の往復運動を行わせるように前記振り子駆動部を制御する。
【０００８】
好適には、前記振り子が往復運動を行っているとき、前記制御部は、前記センサが前記テンポ周期より長い間前記振り子の通過を感知しなかった場合に、前記振り子の駆動を停止状態に保持するように制御信号を出力する。
【発明の効果】
【０００９】
本発明によれば、振り子のロックを外した状態でも振り子が勝手に動き出さない電子式メトロノームを提供することができる。
【発明を実施するための最良の形態】
【００１０】
以下、本発明の実施形態について説明する。
図１は、本実施形態の電子式メトロノーム１００のブロック図である。
図１に示すように、電子式メトロノーム１００は、フォトセンサ１、振り子２、振り子駆動部３、拍子切り替え部４、音色切り替え部５、電源スイッチ部６、制御部７、波形メモリ８１〜８４、ミキシング部９、Ｄ／Ａ変換回路１０及び出力部１１を有する。
【００１１】
フォトセンサ１（センサ）は、図２に示すように、後述する振り子２の有する反射板２２が往復運動しそれぞれの前をよぎることによって光が反射したことを検出し、これによって振り子２の往復運動に同期したセンサ出力を得るために、フォトセンサ右１Ｒとフォトセンサ左１Ｌとを有する。
振り子２は、図２に示すように調速錘２１、反射板２２及び磁石２３を有し、図２に示すＺ点を支点として左右に往復運動を行う。
調速錘２１は振り子２上を上下に移動することができ、上下に移動することにより振り子２の往復運動の周期が変わり、後述する出力部１１が再生し出力する音のテンポを変化させることができる。
反射板２２は、光を反射させる性質を持つ板であり、振り子２の下部に固定されている。
磁石２３は、振り子２の振り子運動によって後述する駆動回路３２の検出コイル３２１の前をよぎり、当該駆動回路により振り子２を駆動させる。
【００１２】
振り子駆動部３は、後述する制御部７からの制御信号ＰＯ１に基づいて振り子２の駆動制御を行う。
本実施形態では、振り子駆動部３は、制御信号ＰＯ１がハイレベルのときに振り子２を停止させ、制御信号ＰＯ１がローレベルのときに振り子２を駆動させる。
なお、振り子駆動部３の構成に関しては後に詳述する。
【００１３】
拍子切り替え部４は、再生する音の拍子を選択し、決定する。拍子切り替え部４で選択できる拍子は、本実施形態では、例えば、０拍子、２拍子、３拍子、４拍子、５拍子、６拍子の６種類であるとする。
０拍子は、テンポ音のみを再生する設定である。
２拍子は、２回のテンポ音再生ごとに１回の拍子音を再生する設定である。
３拍子は、３回のテンポ音再生ごとに１回の拍子音を再生する設定である。
４拍子は、４回のテンポ音再生ごとに１回の拍子音を再生する設定である。
５拍子は、５回のテンポ音再生ごとに１回の拍子音を再生する設定である。
６拍子は、６回のテンポ音再生ごとに１回の拍子音を再生する設定である。
また、拍子切り替え部４は拍子をカウントする。カウントする方法については後の動作例で説明する。
【００１４】
音色切り替え部５は、再生する音の音色を選択し、決定する。本実施形態では、例えば、音色Ａと音色Ｂの２種類の音色を選択できるとする。
電源スイッチ部６は、電子式メトロノーム１００の電源のＯＮ／ＯＦＦを行うスイッチ部である。
【００１５】
制御部７は、電子式メトロノーム１００の統括的な制御を行う。
また、制御部７は、振り子駆動部３に対して制御信号ＰＯ１を出力する。制御信号ＰＯ１は、ハイレベルとローレベルのいずれかのデジタル信号である。
また、制御部７は計時タイマ７１をさらに有する。計時タイマ７１は、フォトセンサ１が入力を感知してからの時間を計測する。
【００１６】
波形メモリ８１〜８４は、それぞれ１音の波形ずつ記憶している。本実施形態では、１つの音色につき２種類の音（チャイム音及びクリック音）があり、音色Ａ及び音色Ｂが記憶されている場合について説明する。すなわち、波形メモリ８１には、チャイム音Ａ、波形メモリ８２には、クリック音Ａ、波形メモリ８３にはチャイム音Ｂ、波形メモリ８４にはクリック音Ｂが記憶されているとする。
なお、本実施形態では、上述した拍子音にチャイム音を、テンポ音にクリック音を使用するとする。
【００１７】
ミキシング部９は、制御部７の制御に従って、音色Ａ或いは音色Ｂのチャイム音とクリック音との波形信号をミックスして出力する。すなわち、波形メモリ８１〜８４から各音の波形を読み出し、制御部７の制御に従って、チャイム音Ａとクリック音Ａの波形、或いはチャイム音Ｂとクリック音Ｂの波形を読み出し、ミックスする。或いは、テンポ音のみを再生する場合は、波形メモリ８２或いは８４からクリック音Ａ或いはＢの波形信号を読み出して後述のＤ／Ａ変換回路に出力する。
Ｄ／Ａ変換回路１０は、ミキシング部９が出力したデジタル波形信号をアナログ信号に変換する。
出力部１１は、Ｄ／Ａ変換回路が変換して出力したアナログ信号を再生し出力する。
【００１８】
次に、本実施形態の電子式メトロノーム１００における振り子駆動部３の構成例について説明する。
図３は、振り子駆動部３の回路図の一例を示す図である。
図３に示すように、振り子駆動部３は、電源ＶＤＤ、定電圧ＩＣ３１、駆動回路３２、コンデンサＣ１〜Ｃ４、抵抗Ｒ１、Ｒ２からなる。
【００１９】
定電圧ＩＣ３１は、本実施形態では４端子レギュレータであり、ＩＮ、ＯＵＴ、ＧＮＤ及び設定電圧制御のための４端子を有する。ＩＮ端子は電源ＶＤＤに、ＯＵＴ端子は、駆動回路３２に、設定電圧制御のための端子（制御端子）は制御部７に接続されている。また、ＩＮ端子とＯＵＴ端子には発振防止用にコンデンサＣ１、Ｃ２が接続される。
【００２０】
駆動回路３２は、図３に示すように、検出コイル３２１、駆動コイル３２２、コンデンサＣ３、Ｃ４、抵抗Ｒ１、Ｒ２、トランジスタＴＲ１からなる。
磁石２３の通過に伴って検出コイル３２１に誘起される電流によって、コンデンサＣ３及びＣ４が充放電され、トランジスタＴＲ１が開閉され、駆動コイル３２２に印加される駆動電圧が制御される。駆動電圧により駆動コイル３２２に発生する電磁力により、磁石２３が吸引され、振り子２が往復運動（揺動運動）を行う。
【００２１】
振り子駆動部３では、制御部７が発する制御信号ＰＯ１が制御端子から入力されることによって、定電圧ＩＣ３１のＯＵＴ端子からの出力電圧が変化する。具体的には、例えば、制御信号ＰＯ１がローレベルの時にはＯＵＴ端子から一定電圧＋Ｖが出力され、制御信号ＰＯ１がハイレベルの時には定電圧ＩＣ３１の機能がシャットダウンされＯＵＴ端子からの出力は接地電位（０Ｖ）となる。これにより、制御信号ＰＯ１がローレベルのときには、駆動回路３２に電源が供給され駆動回路３２は上記説明した動作を行うが、制御信号ＰＯ１がハイレベルのときには駆動回路３２に電源が供給されず、駆動回路３２は動作を行わない。
【００２２】
以下、本実施形態の電子式メトロノーム１００の動作例について説明する。
図４、図５及び図６は、電子式メトロノーム１００の動作例を説明するためのフローチャートである。
【００２３】
ステップＳＴ１：
電子式メトロノーム１００の電源がオンされると、制御部７は、制御信号ＰＯ１をハイレベルにセットして振り子駆動部３に出力し（すなわち駆動回路３２に電源を供給しないように制御し）、Ｄ／Ａ変換回路１０の出力を０Ｖにセットする（初期設定）。また、計時タイマ７１をスタートさせる。
ステップＳＴ２:
拍子切り替え部４は、拍子設定を読み取り、制御部７に出力する。また、拍子切り替え部４は、拍子カウンタをセットする。すなわち、Ｘ拍子の設定であるときに拍子切り替え部は拍子カウンタを“Ｘ”にする。
【００２４】
ステップＳＴ３：
ユーザによって振り子２が揺動させられることにより、反射板２２がフォトセンサ１をよぎり、センサが入力を感知した場合はステップＳＴ４に進み、入力を感知しなかった場合はステップＳＴ６に進む。
ステップＳＴ４：
制御部７は、ステップＳＴ３においてセンサに入力があった場合、計時タイマ７１をリセットさせる。
【００２５】
ステップＳＴ５：
制御部７は、制御信号ＰＯ１をローレベルにセットし、Ｄ／Ａ変換回路１０の出力をオフセット電圧ＶＤＤ／２までなだらかに変化させる。
ここで、制御信号ＰＯ１がローレベルにセットされたことにより、駆動回路３２に電源が供給され、上述したように振り子２の揺動に応じて駆動コイルに電流が流れ、振り子２が往復運動を始める。
ステップＳＴ６：
制御部７は、ステップＳＴ３においてセンサに入力がなかった場合、計時タイマ７１にカウントを続けさせる。
【００２６】
ステップＳＴ７：
制御部７は、計時タイマ７１のカウントが規定時間、すなわちテンポ周期の最大値以上になった場合ステップＳＴ１に戻り、テンポ周期の最大値以上になっていない場合ステップＳＴ３に戻る。例えばテンポが６０（１分間に６０回テンポ音が鳴動する設定）である場合は、テンポ周期の最大値は１秒である。
ステップＳＴ８：
ステップＳＴ２において入力を感知したセンサがフォトセンサ右１Ｒだった場合はステップＳＴ９に、フォトセンサ左１Ｌだった場合はステップＳＴ１０に進む。
【００２７】
ステップＳＴ９：
フォトセンサ右１Ｒは、振り子２の振れた方向を示す左右フラグを“０”にする。左右フラグ“０”は振り子２が右側に振れたことを意味する。
ステップＳＴ１０：
フォトセンサ左１Ｌは、振り子２の振れた方向を示す左右フラグを“１”にする。左右フラグ“１”は振り子２が左側に振れたことを意味する。
ステップＳＴ１１：
拍子切り替え部４の拍子設定が０拍子以外であった場合はステップＳＴ１２に進み、０拍子であった場合はステップＳＴ２０に進む。
【００２８】
ステップＳＴ１２：
拍子切り替え部４は、現在の拍子カウンタから−１する。この動作は、１拍分の音が再生されたことをカウントする動作である。
ステップＳＴ１３：
音色切り替え部５の音色設定が音色Ａであった場合はステップＳＴ１４に、音色Ｂであった場合はステップＳＴ１７に進む。
【００２９】
ステップＳＴ１４:
制御部７は、波形メモリ８１からチャイム音Ａの波形を、波形メモリ８２からクリック音Ａの波形を読み出す。
ステップＳＴ１５：
ミキシング部９は、ステップＳＴ１４において読み出されたチャイム音Ａの波形と、クリック音Ａの波形をミックスする。
【００３０】
ステップＳＴ１６：
出力部１１は、ステップＳＴ１５においてミキシング部９がミックスした波形を音として再生し出力する。
ステップＳＴ１７：
制御部７は、波形メモリ８３からチャイム音Ｂの波形を、波形メモリ８４からクリック音Ｂの波形を読み出す。
【００３１】
ステップＳＴ１８：
ミキシング部９は、ステップＳＴ１７において読み出されたチャイム音Ｂの波形と、クリック音Ｂの波形をミックスする。
ステップＳＴ１９：
出力部１１は、ステップＳＴ１８においてミキシング部９がミックスした波形を音として再生し出力する。
【００３２】
ステップＳＴ２０：
音色切り替え部５の音色設定が音色Ａであった場合はステップＳＴ２１に、音色Ｂであった場合はステップＳＴ２３に進む。
ステップＳＴ２１：
制御部７は、波形メモリ８２からクリック音Ａの波形を読み出す。
【００３３】
ステップＳＴ２２：
出力部１１は、ステップＳＴ２１において制御部７が読み出したクリック音Ａを再生し出力する。
ステップＳＴ２３：
制御部７は、波形メモリ８４からクリック音Ｂの波形を読み出す。
【００３４】
ステップＳＴ２４：
出力部１１は、ステップＳＴ２３において制御部７が読み出したクリック音Ｂを再生し出力する。
ステップＳＴ３０：
拍子切り替え部４において拍子設定の切り替えがあった場合はステップＳＴ２に戻り、無かった場合はステップＳＴ３１に進む。
【００３５】
ステップＳＴ３１：
制御部７は、現在の左右フラグが“１”、すなわち振り子２が直前に振れたのが左であった場合にはステップＳＴ３２に進み、現在の左右フラグが“０”であった場合にはステップＳＴ３５に進む。
ステップＳＴ３２：
フォトセンサ右１Ｒは、入力があった場合はステップＳＴ３３に進み、無かった場合はステップＳＴ６０に進む。
【００３６】
ステップＳＴ３３：
制御部７は、計時タイマ７１をリセットする。
ステップＳＴ３４：
フォトセンサ右１Ｒは、振り子２の振れた方向を示す左右フラグを“０”にする。左右フラグ“０”は振り子２が右側に振れたことを意味する。
【００３７】
ステップＳＴ３５：
フォトセンサ左１Ｌは、入力があった場合はステップＳＴ３６に進み、無かった場合はステップＳＴ６０に進む。
ステップＳＴ３６：
制御部７は、計時タイマ７１をリセットする。
【００３８】
ステップＳＴ３７：
フォトセンサ左１Ｌは、振り子２の振れた方向を示す左右フラグを“１”にする。左右フラグ“１”は振り子２が左側に振れたことを意味する。
ステップＳＴ３８：
拍子切り替え部４の拍子設定が０拍子以外であった場合はステップＳＴ３９に進み、０拍子であった場合はステップＳＴ４９に進む。
ステップＳＴ３９：
拍子切り替え部４は、現在の拍子カウンタから−１する。
【００３９】
ステップＳＴ４０：
拍子切り替え部４は、拍子カウンタが０であるか否かを判断し、０であった場合はステップＳＴ４１に進み、０で無かった場合はステップＳＴ４９に進む。
ステップＳＴ４１：
拍子切り替え部４は、新たにカウンタをセットする。すなわち、カウンタを“Ｘ”に戻す。
【００４０】
ステップＳＴ４２：
音色切り替え部５の音色設定が音色Ａであった場合はステップＳＴ４３に、音色Ｂであった場合はステップＳＴ４６に進む。
ステップＳＴ４３:
制御部７は、波形メモリ８１からチャイム音Ａの波形を、波形メモリ８２からクリック音Ａの波形を読み出す。
【００４１】
ステップＳＴ４４：
ミキシング部９は、ステップＳＴ４３において読み出されたチャイム音Ａの波形と、クリック音Ａの波形をミックスする。
ステップＳＴ４５：
出力部１１は、ステップＳＴ４４においてミキシング部９がミックスした波形を音として再生し出力する。
【００４２】
ステップＳＴ４６：
制御部７は、波形メモリ８３からチャイム音Ｂの波形を、波形メモリ８４からクリック音Ｂの波形を読み出す。
ステップＳＴ４７：
ミキシング部９は、ステップＳＴ４６において読み出されたチャイム音Ｂの波形と、クリック音Ｂの波形をミックスする。
【００４３】
ステップＳＴ４８：
出力部１１は、ステップＳＴ４７においてミキシング部９がミックスした波形を音として再生し出力する。
ステップＳＴ４９：
音色切り替え部５の音色設定が音色Ａであった場合はステップＳＴ５０に、音色Ｂであった場合はステップＳＴ５２に進む。
【００４４】
ステップＳＴ５０：
制御部７は、波形メモリ８２からクリック音Ａの波形を読み出す。
ステップＳＴ５１：
出力部１１は、ステップＳＴ５０において制御部７が読み出したクリック音Ａを再生し出力する。
【００４５】
ステップＳＴ５２：
制御部７は、波形メモリ８４からクリック音Ｂの波形を読み出す。
ステップＳＴ５３：
出力部１１は、ステップＳＴ５２において制御部７が読み出したクリック音Ｂを再生し出力する。
【００４６】
ステップＳＴ６０：
制御部７は、計時タイマ７１をカウントさせる。
ステップＳＴ６１：
制御部７は、計時タイマ７１のカウントが規定時間、すなわちテンポ周期の最大値以上になった場合ステップＳＴ１に戻り、テンポ周期の最大値以上になっていない場合ステップＳＴ３０に戻る。
【００４７】
図７に、本実施形態の電子式メトロノームのタイミングチャートの一例として、拍子切り替え部４の設定を３拍子とした場合のタイミングチャートを示す。
【００４８】
以上説明したように、本実施形態の電子式メトロノーム１００によれば、電源投入後、ユーザによって振り子２が揺動させられフォトセンサ１が入力を感知するまでは、制御部７がハイレベルの制御信号ＰＯ１を振り子駆動部３に出力し続けるので、振り子駆動部３の駆動回路３２に電源が供給されず、駆動電流が流れないので、振り子２が意図せず動き出すことを防ぐことができる。
【００４９】
また、本実施形態の電子式メトロノーム１００によれば、フォトセンサ１が感知できる位置までユーザによって振り子２が揺動されなければ振り子駆動部３の駆動回路３２に電源が供給されず振り子２が動き出さないので、ちょっとした振動で振り子２が動き出すという事態を防ぐことができる。
【００５０】
また、本実施形態の電子式メトロノーム１００によれば、制御部７が計時タイマ７１によって時刻をカウントさせ、テンポ周期の最大値以上の間センサ入力がない場合は、制御部７が発する制御信号ＰＯ１をハイレベルにし振り子駆動部３の駆動回路３２の動作を止めるので、動作が安定する。
【００５１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５２】
本実施形態の電子式メトロノーム１００は、２種類の音色を有し、またそれぞれの音色についてチャイム音及びクリック音を有していたが、本発明はこれには限定されない。すなわち、例えば、波形メモリ８１にチャイム音の波形が、波形メモリ８２にクリック音の波形が予め記憶され、波形メモリ８３及び８４には、ユーザが自由な音色の波形を記憶させられるようにしてもよい。この場合、図示しないマイク等からユーザの好きな音色を録音すれば、上記実施形態のチャイム音及びクリック音の代わりにユーザの好きな音色を再生・出力させることができる。これによって、チャイム音及びクリック音以外の音を利用したいユーザにユーザの好きな音色でテンポを知らせることができる。
本実施形態の図４、図５及び図６で説明した動作例における左右の検出方法（左右フラグ）や拍子のカウント方法（拍子カウンタ）は一例であり、本発明はこれには限定されない。
【００５３】
また、本実施形態では、振り子駆動部３の構成を図３に示したものとしたが、これば一例であり、例えば図８或いは図９に示すような構成としてもよい。
以下、それぞれの構成について簡単に説明する。
【００５４】
図８は、振り子駆動部３の本実施形態とは異なる構成の一例を示す図である。
図８に示すように、振り子駆動部３は定電圧ＩＣ３１、駆動回路３２、コンデンサＣ１、Ｃ２、抵抗Ｒ３、トランジスタＴＲ２を有する。
定電圧ＩＣ３１及び駆動回路３２（及び駆動回路３２の各構成）については本実施形態中で説明した例と同様であるので説明を省略する。
制御部７から出力された制御信号ＰＯ１は、トランジスタＴＲ２のベースに入力される。すなわち、制御信号ＰＯ１がハイレベルであるときはトランジスタＴＲ２がオフになり電源ＶＤＤからの電圧が定電圧ＩＣ及び駆動回路３２に供給されない。逆に、制御信号ＰＯ１がローレベルのときには、トランジスタＴＲ２がオンになり電源ＶＤＤの電圧が定電圧ＩＣ３１及び駆動回路３２に供給され、駆動回路３２が動作する。
【００５５】
図９は、振り子駆動部３の本実施形態とは異なる構成の他の一例を示す図である。
図９に示すように、振り子駆動部３は駆動回路３２、抵抗Ｒ４、トランジスタＴＲ３を有する。
駆動回路３２（及び駆動回路３２の各構成）については本実施形態中で説明した例と同様であるので説明を省略する。
制御部７から出力された制御信号ＰＯ１は、トランジスタＴＲ３のベースに入力され、制御信号ＰＯ１がハイレベルであるときはトランジスタＴＲ３がオンになるので駆動回路３２のトランジスタＴＲ１に電流が流れずオフになり、駆動コイル３２２に駆動電圧が生じない。逆に、制御信号ＰＯ１がローレベルのときには、トランジスタＴＲ３がオフになるので、トランジスタＴＲ１に電流が流れてオンになり、駆動コイル３２２に駆動電圧が印加され、振り子２が駆動する。
【００５６】
すなわち、上記説明した実施形態（図３）、図８及び図９に示す振り子駆動部３は、制御部７からの制御信号ＰＯ１がハイレベルの時には動作を停止し、制御信号ＰＯ１がローレベルの時には動作を行う点において共通している。すなわち、本発明の振り子駆動部３は、制御部７からの制御信号ＰＯ１がハイレベルの時には動作を停止し、制御信号ＰＯ１がローレベルの時には動作を行うような構成であればどのような構成でもよい。更に、制御信号ＰＯ１のハイレベルとローレベルは逆であってもよい。すなわち、制御信号ＰＯ１がハイレベルの時には動作を行い、ローレベルの時には動作を停止するような構成でもよい。
【図面の簡単な説明】
【００５７】
【図１】図１は、本実施形態の電子式メトロノーム１００のブロック図である。
【図２】図２は、フォトセンサ１と振り子２の構成例を示す図である。
【図３】図３は、振り子駆動部３の構成例を示す図である。
【図４】図４は、電子式メトロノーム１００の動作例を説明するためのフローチャートである。
【図５】図５は、電子式メトロノーム１００の動作例を説明するためのフローチャートである。
【図６】図６は、電子式メトロノーム１００の動作例を説明するためのフローチャートである。
【図７】図７は、３拍子の場合の各信号のタイミングチャートを示す図である。
【図８】図８は、振り子駆動部３の本実施形態とは異なる構成の一例を示す図である。
【図９】図９は、振り子駆動部３の本実施形態とは異なる構成の他の一例を示す図である。
【符号の説明】
【００５８】
１…フォトセンサ、１Ｌ…フォトセンサ左、１Ｒ…フォトセンサ右、２…振り子、２１…調速錘、２２…反射板、２３…磁石、３…振り子駆動部、３１…定電圧ＩＣ、３２…駆動回路、３２１…検出コイル、３２２…駆動コイル、４…拍子切り替え部、５…音色切り替え部、６…電源スイッチ部、７…制御部、７１…計時タイマ、８１，８２，８３，８４…波形メモリ、９…ミキシング部、１０…Ｄ／Ａ変換回路、１１…出力部、１００…電子式メトロノーム、ＴＲ１，ＴＲ２，ＴＲ３…トランジスタ
【図１】
2007232513.tif 000003
【図２】
2007232513.tif 000004
【図３】
2007232513.tif 000005
【図４】
2007232513.tif 000006
【図５】
2007232513.tif 000007
【図６】
2007232513.tif 000008
【図７】
2007232513.tif 000009
【図８】
2007232513.tif 000010
【図９】
2007232513.tif 000011